(57)【特許請求の範囲】
【請求項１】
受信信号に含まれる番組データを抽出して所定の番組を受信する番組受信手段と、
前記番組受信手段によって受信した番組の内容を表す番組内容データを前記受信信号から抽出する番組内容データ抽出手段と、
前記番組内容データ抽出手段によって抽出された言語コードに対応可能な辞書と、
前記番組内容データ抽出手段によって抽出された言語コードに基づいて使用する前記辞書を切り替える辞書切り替え手段と、
前記、辞書切り替え手段により切り替えられた辞書を用いて、前記番組内容データ抽出手段によって抽出された番組内容データに基づいて、対応する番組の言語を用いて音声出力を行う内容音声出力手段と、
を備えることを特徴とする多重放送受信機
【発明の詳細な説明】
【０００１】
【発明の属する技術分野】
本発明は、異なる周波数の搬送波のそれぞれに多重化された複数の番組の中からいずれかを選択する多重放送受信機に関する。
【０００２】
【従来の技術】
今日、デジタルオーディオは、その優れた特性と使いやすさから一般に認められ、急速に普及してきている。このような背景から、オーディオ放送のデジタル化の動きが活発になってきており、デジタルオーディオ放送ＤＡＢ（Digital Audio Broadcasting）が欧州で実用化されている。
【０００３】
このようなＤＡＢ用の受信機（ＤＡＢ受信機）は、通常のＶＨＦ／ＦＭ受信機に比べて構成がかなり複雑になるが、それを補って余りある多くの利点がある。例えば、移動する自動車の中でもＣＤ並みの音質が確保できる、多くの放送番組を受信できる、複数の言語で番組を放送できる、天候や交通情報を絶え間なく受信できる、音声や映像による広告を受信できるなどの利点がある。
【０００４】
現在のＤＡＢの各放送チャンネルは、テレビジョン放送の各チャンネルに割り当てられた受信周波数間の空き周波数が利用されており、全体で６４チャンネル分が用意されている。各放送チャンネルに対応した搬送波周波数群をアンサンブルといい、各アンサンブルには６〜８の放送番組（サービス）が多重化されている。
【０００５】
このようなＤＡＢ受信機における受信番組の切り替えは、利用者による所定の操作キーの操作に応じて行われる。例えば、利用者によって「アップ」キーや「ダウン」キーが押下されるごとに、各アンサンブルに多重化された各種の番組（サービス）が順に選択される。また、ＤＡＢ受信機は、このような各種サービスの受信動作と並行してサービスに付された名称を表示する機能を有しており、備わった表示部に受信中のサービス名称を示す文字データを表示することができる。
【０００６】
【発明が解決しようとする課題】
ところで、上述したように、ＤＡＢ受信機では受信中のサービスの内容を示す文字データを表示しており、利用者は、この表示を見ることによって受信中のサービスの内容を認識し、所望のサービスであるか否かを判断することができる。しかし、車載用のＤＡＢ受信機を操作する場合やリモートコントロール（リモコン）ユニットによって離れた場所にあるＤＡＢ受信機を操作する場合等においては、表示を見ないで操作することも多いため、表示による内容確認を行うことができない場合がある。このような場合には、所望のサービスであるか否かを判断するために、受信したサービスをしばらくの間聴いてその内容を判断しなければならず、所望のサービスが受信できるまで複数のサービスを切り替える場合を考えると、サービス選択に多くの時間や手間がかかって操作性が悪かった。
【０００７】
本発明は、このような点に鑑みて創作されたものであり、その目的は、受信番組の内容把握が容易であって操作性を向上させることができる多重放送受信機を提供することにある。
【０００８】
【課題を解決するための手段】
上述した課題を解決するために、本発明の多重放送受信機は、番組受信手段によって受信した番組の内容を表す番組内容データを番組内容データ抽出手段によって受信信号から抽出し、内容音声出力手段によってこの番組内容データに基づいて番組内容を示す音声を出力しており、受信番組を選択して切り替える際の内容把握が容易であり、受信番組を選択する際に不必要な手間がかかることがなく、操作性を向上させることができる。特に、表示部を見ることなく受信番組の内容把握ができるため、車載用の多重放送受信機のように、表示内容をじっくり確認することが容易でない場合に有効である。
【０００９】
また、番組の受信指示を行う操作手段をさらに備えておいて、操作手段によって番組の受信指示がなされたときに番組内容の音声出力を行うことにより、利用者が番組選択のための操作を行った際にその都度切り替え先の番組の内容を把握することができるため、内容を把握しながらの番組選択が容易となり、操作性を向上させることができる。
【００１０】
また、上述した番組内容の音声出力を行う場合に、各番組の言語と同じ言語を用いることにより、数々の言語を用いた複数の番組が混在する場合であっても、利用者に必要な情報を伝えることができる。特に、利用者に理解できない言語を用いた音声出力が行われた場合には、この言語を用いた番組自体が選択の対象から外れることになるため、理解可能な言語を用いた番組の内容はこの番組で使用される言語で利用者に通知することが好ましい。
【００１１】
また、上述した多重放送受信機がデジタルオーディオ放送用である場合には、番組内容データとして受信信号フレームの高速情報チャネルに含まれるラベルデータを用いることができ、このラベルデータに基づいてテキスト音声合成処理を行うことにより、受信番組の内容を示す音声信号を容易に生成することができる。
【００１２】
【発明の実施の形態】
本発明の多重放送受信機を適用した一実施形態のＤＡＢ受信機は、ＤＡＢ信号の制御情報（高速情報チャネル）に含まれる表示用のラベルデータを利用して、受信番組の内容を示す音声を出力することに特徴がある。なお、上述した番組にはＤＡＢの各サービスが対応している。以下、一実施形態のＤＡＢ受信機について図面を参照しながら説明する。
【００１３】
図１は、本発明を適用した一実施形態のＤＡＢ受信機の構成を示す図である。同図に示すＤＡＢ受信機１は、アンテナ２、フロントエンド部（Ｆ／Ｅ）４、ＤＡＢデコード部６、オーディオデコード部８、デジタル−アナログ変換器（Ｄ／Ａ変換器）１０、アンプ１２、スピーカ１４、制御部１６、テキスト音声合成部１８、操作部４０、表示部４２、スイッチ部４４を含んで構成されている。また、上述したテキスト音声合成部１８は、辞書ＲＯＭ２０、言語処理部２２、音素片ＲＯＭ２４、音声合成部２６、音声格納部２８、Ｄ／Ａ変換器３０を含んで構成されている。
【００１４】
フロントエンド部４は、アンテナ２を介して受信した信号の中から所望の受信周波数（同調周波数）成分を抽出するとともに、この抽出した信号に対して周波数変換を行った中間周波数信号を出力する。ＤＡＢデコード部６は、フロントエンド部４から出力される中間周波信号に対して、直交復調処理、ＦＦＴ（高速フーリエ変換）復調処理、復号処理を行って、インタリーブされた送信データを復調し、さらにこのインタリーブを解いて元のデータ列に戻した後に誤り検出訂正処理を行って、多重化された放送番組のシンボル位置を示す各アンサンブルのサービスリスト等を含む高速情報チャネルＦＩＣや復号データ（ＭＰＥＧオーディオデータ）からなるデータフレームを出力する。
【００１５】
オーディオデコード部８は、ＤＡＢデコード部６から出力される復号データ（ＭＰＥＧオーディオデータ）を元に戻す伸長処理を行い、伸長したＰＣＭオーディオデータを出力する。Ｄ／Ａ変換器１０は、オーディオデコード部８から出力されたＰＣＭオーディオデータをアナログ信号に変換して出力する。このアナログの音声信号は、スイッチ部４４を介してアンプ１２に入力されて増幅され、スピーカ１４から出力される。
【００１６】
制御部１６は、フロントエンド部４による周波数同調制御、ＤＡＢデコード部６に対するサービス切り替え指示等を行うことによりＤＡＢ受信機１の全体を制御する。また、制御部１６は、ＤＡＢ信号の高速情報チャネルＦＩＣに含まれる各サービスのラベルデータや言語コードを抽出しており、この抽出された各種のデータがテキスト音声合成部１８に入力される。
【００１７】
辞書ＲＯＭ２０は、英語や日本語等の各種言語に対応した辞書を格納しており、制御部１６から出力される言語コードに基づいて、使用する辞書を切り替える。言語処理部２２は、制御部１６から出力されるラベルデータ（テキストデータ）が入力されており、辞書ＲＯＭ２０に格納された辞書データに基づいてラベルデータの解析を行い、連続するラベルデータを意味のある単語に分解する。
【００１８】
音素片ＲＯＭ２４は、各種言語に対応した音素片データを格納しており、制御部１６から出力される言語コードに基づいて、使用する音素片データを切り替える。音声合成部２６は、言語処理部２２によって分解された単語毎のラベルデータが入力され、音素片ＲＯＭ２４に格納された音素片データに基づいて１発音単位毎の音素片データを音声格納部２８に格納するとともに、順次格納される各音声データを重ね合わせて音声合成を行う。このようにして合成された音声データは、Ｄ／Ａ変換器３０を通すことによりアナログの音声信号に変換さる。
【００１９】
操作部４０は、利用者からのサービス切替指示等の各種の操作指示を入力するための各種操作キーを備えており、利用者による操作キーの操作状況を制御部１６に送る。表示部４２は、現在受信しているサービスに付された名称を表示したり、利用者による操作部４０の操作状況を表示する。また、スイッチ部４４は、制御部１６の指示に応じて、２つのＤ／Ａ変換器１０、３０から入力される音声信号を選択的にアンプ１２に向けて出力する。
【００２０】
上述したフロントエンド４、ＤＡＢデコード部６、オーディオデコード部８および制御部１６が番組受信手段に、制御部１６が番組内容データ抽出手段に、テキスト音声合成部１８が内容音声出力手段に、操作部４０が操作手段にそれぞれ対応している。
【００２１】
図２は、ＤＡＢ受信機１において採用されるモードＩＩのフレーム構造を示す図である。１フレーム長は、２４ｍｓであり、２シンボルの同期信号ＳＹＮＣと、３シンボルの高速情報チャネルＦＩＣと、７２シンボルのデータフィールドＤＦＬで構成されている。同期信号ＳＹＮＣは、フレームの開始点を認識するために使用するヌルシンボルと位相基準シンボルＰＲＳを含んでいる。
【００２２】
高速情報チャネルＦＩＣは、３つの高速情報ブロックＦＩＢから構成されている。また、データフィールドＤＦＬは７２個のデータフィールドに区分され、それぞれのデータフィールドに所定のサービスやアナウンスメントの放送信号が挿入されており、１つの放送波から同時に６〜８サービスを受信できるようになっている。どのデータフィールドにどのサービスが対応するかは、高速情報チャネルＦＩＣに含まれるサービスリストデータで指定される。
【００２３】
高速情報ブロックＦＩＢは、複数の高速情報グループＦＩＧから構成されている。各高速情報グループＦＩＧは、ＦＩＧヘッダとＦＩＧデータフィールドから構成されている。ＦＩＧヘッダは、ＦＩＧデータフィールドに含まれるデータのタイプを示す「ＦＩＧタイプ」と、ＦＩＧデータフィールドのバイト長を示す「長さ」とからなっている。また、ＦＩＧデータフィールドの先頭の１バイトは、ＦＩＧタイプ毎に異なる内容を有しており、その一部にエクステンションが含まれている。
【００２４】
例えば、タイプ０フィールドの場合には、ＦＩＧデータフィールドの先頭１バイトには、上位から順に、Ｃ／Ｎ（Current/Next）フラグ、ＯＥ（Other Ensemble）フラグ、Ｐ／Ｄフラグ、エクステンションが含まれている。ＦＩＧタイプとエクステンションとによって、ＦＩＧデータフィールドに含まれる詳細なデータの内容が規定される。以下では、例えばＦＩＧタイプ０フィールドのエクステンション１７に対応したデータフィールドをＦＩＧ（０／１７）と表すこととする。
【００２５】
ＦＩＧデータフィールドの先頭の１バイトを除く領域には、ＦＩＧタイプとエクステンションによって特定される各種のデータが含まれており、このデータを読み出すことにより、各種の受信制御を行うことができる。例えば、ＦＩＧ（０／１７）には多重化された各サービスに対応したプログラムタイプＰＴｙが含まれている。また、ＦＩＧ（０／２）とＦＩＧ（０／３）には各アンサンブル内のサービスリストが、ＦＩＧ（０／３）にはサービス識別ＳＩｄが、ＦＩＧ（０／５）には使用している言語コードが、ＦＩＧ（１／０）とＦＩＧ（１／１）には番組受信中に表示部４２に表示する各アンサンブル名やサービス名に対応したテキストデータであるアンサンブルラベルやサービスラベルが含まれている。
【００２６】
本実施形態のＤＡＢ受信機１は、このような構成を有しており、次にその動作を説明する。図３は、本実施形態のＤＡＢ受信機１による番組切り替え動作の動作手順を示す流れ図であり、主に制御部１６とテキスト音声合成部１８による動作手順が示されている。なお、現在いずれかのチャンネルが受信されており、その後操作部４０の「アップ」キーあるいは「ダウン」キーが押下されたときに、所定の順番で番組の切り替えが行われるものとする。また、番組切り替えは、ＦＩＧ（０／３）に含まれるサービス識別ＳＩｄの順番に従うものとする。
【００２７】
制御部１６は、操作部４０に備えられている「アップ」キーまたは「ダウン」キーが押下されたか否かを常時監視しており、いずれかのキーが押下されてサービスの切り替えが指示されたか否かを判定する（ステップ１０１）。いずれかのキーが押下されると、制御部１６は、押下されたキーに応じて受信対象のサービスを切り替える（ステップ１０２）。具体的には、制御部１６は、ＦＩＧ（０／２）とＦＩＧ（０／３）とに基づいて、受信中のアンサンブルに多重化されているサービス一覧であるサービスリストを抽出するとともに、このサービスリストに含まれる各サービスのサービス識別ＳＩｄを読み出し、これらの各サービスに対応したサービス識別ＳＩｄと現在受信しているサービスに対応するサービス識別ＳＩｄとを比較する。
【００２８】
例えば、操作部４０の「アップ」キーが押下された場合には、制御部１６は、現在受信しているサービスのサービス識別ＳＩｄよりも大きな値のサービス識別ＳＩｄに対応した他のサービスがあるかどうかを調べる。その結果、該当するサービスがある場合には、制御部１６は、ＤＡＢデコード部６に対して、現在受信しているサービスの次に大きなサービス識別ＳＩｄを有するサービスを多重化データの中から分離する指示を送る。ＤＡＢデコード部６は、制御部１６から送られてくる指示に応じて、データフィールドＤＦＬに含まれる多重化データの中から、指定されたサービス識別ＳＩｄに対応するサービスの音声データ（ＭＰＥＧオーディオデータ）を抽出する。この抽出された音声データは、オーディオデコード部８によってＰＣＭオーディオデータに変換され、Ｄ／Ａ変換器１０を通すことによりアナログの音声信号に変換された後にスイッチ部４４の一方の入力端に入力される。
【００２９】
一方、同一アンサンブル内に切り替えようとする他のサービスがない場合には、制御部１６は、フロントエンド部４に対して受信周波数切替の指示を出して、フロントエンド部４によって受信する搬送波の周波数を切り替えた後に、ＤＡＢデコード部６に対して、この切り替えた搬送波に対応するアンサンブルに含まれる複数のサービスの中から最もサービス識別ＳＩｄが小さなサービスを分離する指示を与える。ＤＡＢデコード部６は、制御部１６から送られてくる指示に応じて、データフィールドＤＦＬに含まれる多重化データの中から、指定されたサービス識別ＳＩｄに対応するサービスの音声データ（ＭＰＥＧオーディオデータ）を抽出する。この抽出された音声データは、オーディオデコード部８によってＰＣＭオーディオデータに変換され、Ｄ／Ａ変換器１０を通すことによりアナログの音声信号に変換された後にスイッチ部４４の一方の入力端に入力される。
【００３０】
上述したサービスの切り替え動作の後に、あるいは切り替え動作と並行して、制御部１６は、ＦＩＧ（１／１）とＦＩＧ（０／５）を解析し（ステップ１０３）、ＦＩＧ（１／１）から各サービスの内容を示す表示用のテキストデータとしてのラベルデータを取得するとともに、ＦＩＧ（０／５）から各サービスで使用している言語コードを取得する。このようにして取得されたラベルデータおよび言語コードは、テキスト音声合成部１８に向けて出力される（ステップ１０４）。
【００３１】
次に、テキスト音声合成部１８は、制御部１６から出力されたラベルデータと言語コードに基づいて、切り替えたサービスの内容を示す音声データを作成する（ステップ１０５）。まず、言語コードが辞書ＲＯＭ２０および音素片ＲＯＭ２４に入力され、それぞれの辞書あるいは音素片データが言語コードに対応した内容に切り替えられる。次に、言語処理部２２は、このようにして言語コードに対応した内容に切り替えられた辞書ＲＯＭ２０を用いて、入力されるラベルデータを解析して意味のある単語に分解する。音声合成部２６は、言語コードに対応した内容に切り替えられた音素片ＲＯＭ２４を用いて、言語処理部２２によって分解された単語のそれぞれについて１発音単位で音素片データ（音声データ）を抽出し、この抽出した音素片データを単語毎に重ね合わせて音声合成を行う。このようにして合成された音声データは、Ｄ／Ａ変換器３０を通すことによりアナログの音声信号に変換された後にスイッチ部４４の他方の入力端に入力される。
【００３２】
次に、制御部１６は、スイッチ部４４に対して入力音声の切替指示を送り、この切替指示が入力されたスイッチ部４４では、テキスト音声合成部１８のＤ／Ａ変換器３０から出力される受信切り替え後のサービスに付された名称に対応した音声信号を出力する（ステップ１０６）。スイッチ部４４から出力された音声信号は、アンプ１２を通すことにより増幅され、スピーカ１４から出力される。このようにして行われるサービス名の音声出力は、所定時間あるいは作成された音声信号がなくなるまで続けられる。
【００３３】
その後、制御部１６は、スイッチ部４４に対して再度入力音声の切替指示を送り、この切替指示が入力されたスイッチ部４４では、オーディオデコード部８側から入力された音声信号を出力する（ステップ１０７）。スイッチ部４４から出力された各サービスに対応した音声信号は、アンプ１２を通すことにより増幅され、スピーカ１４から出力される。
【００３４】
このように、本実施形態のＤＡＢ受信機１は、操作部４０に備わった操作キーが押下されて受信サービスの切り替え操作がなされたときに、切り替え先のサービスに対応した表示用のラベルデータに基づいて音声信号を作成して出力する。したがって、ＤＡＢ受信機１の利用者は、この出力音声によって、切り替えたサービスの内容（例えばニュースであるかスポーツであるか等）を把握することができる。特に、車載用のＤＡＢ受信機１を操作する場合やリモコンユニットを用いてサービス切替を行う場合には、表示部４２に表示された各種情報を見ないで操作する場合も多いため、サービスラベルの音声出力によって、実際にサービスの内容を聴かなくても各サービスの概略的な内容を把握することが容易になり、サービスの切り替え操作を効率よく行うことができ、操作性を向上させることができる。
【００３５】
なお、本発明は、上記実施形態に限定されるものではなく、本発明の要旨内で種々の変形実施が可能である。例えば、上述した実施形態では、ＦＩＧ（１／１）を解析してラベルデータを取得することによって、サービス名を音声出力するようにしたが、ＦＩＧ（１／０）を解析して各アンサンブルのラベルデータを取得し、アンサンブル名を音声出力するようにしてもよい。あるいは、ＦＩＧ（１／１６）を解析して各サービスを構成するコンポーネント（サービスをさらに細かく分類したもの）のラベルデータを取得して、サービスコンポーネント名を音声出力するようにしてもよい。
【００３６】
また、これらの各名称を組み合わせて音声出力するようにしてもよい。例えば、利用者がサービスの切り替え操作を行ったときに、まず切り替え先のサービスに対応するアンサンブル名を音声出力し、続けてサービス名を音声出力し、その後サービスの音声を出力するようにしてもよい。
【００３７】
また、上述した実施形態では、サービス切り替えの指示がされるごとに、１つずつサービスラベルを取得してサービス名を音声出力し、続いてサービスの音声出力を行ったが、サービス切り替えの指示がされた場合にサービスの音声は出力せずにサービス名だけを順次音声出力するようにしてもよい。また、周波数掃引を行って受信可能な全てのアンサンブルに含まれるサービスを順に受信し、各サービス名とサービスを、あるいは各サービス名のみを次々に音声出力するようにしてもよい。
【００３８】
【発明の効果】
上述したように、本発明によれば、受信番組の内容を表す番組内容データを受信信号から抽出し、この抽出した番組内容データに基づいて番組内容を示す音声を出力することにより、受信番組を選択して切り替える際の内容把握が容易であって、受信番組を選択する際に不必要な手間がかかることがなく、操作性を向上させることができる。また、操作手段によって番組の受信指示がなされたときに番組内容の音声出力を行うことにより、利用者が番組選択のための操作を行った際にその都度切り替え先の番組の内容を把握することができるため、内容を把握しながらの番組選択が容易となり、操作性を向上させることができる。さらに、上述した番組内容の音声出力を行う場合に、各番組の言語と同じ言語を用いることにより、数々の言語を用いた複数の番組が混在する場合であっても、利用者に必要な情報を伝えることができる。
【図面の簡単な説明】
【図１】本発明を適用した一実施形態のＤＡＢ受信機の構成を示す図である。
【図２】ＤＡＢ受信機で使用されるフレーム構造を示す図である。
【図３】番組切り替え動作の動作手順を示す流れ図である。
【符号の説明】
１  ＤＡＢ受信機
４  フロントエンド部
６  ＤＡＢデコード部
８  オーディオデコード部
１０、３０  デジタル−アナログ（Ｄ／Ａ）変換器
１６  制御部
１８  テキスト音声合成部
２０  辞書ＲＯＭ
２２  言語処理部
２４  音素片ＲＯＭ
２６  音声合成部
２８  音声格納部
４４  スイッチ部
【図１】
0003694393.tif 000002
【図２】
0003694393.tif 000003
【図３】
0003694393.tif 000004